(57)【特許請求の範囲】
【請求項１】
内面に螺旋案内路が設けられた複数の内面螺旋案内路付き短管を、その螺旋案内路が一つの連続する螺旋案内路を形成するように順次連結し、該短管本体同士の接合面を傾斜面として、接着剤を介して突き合わせるように接合し、それらの内面螺旋案内路付き短管を外装する樹脂層を設けて一体的に固定することを特徴とする内面螺旋案内路付き管の製造方法。
【請求項２】
内面に螺旋案内路が設けられた複数の内面螺旋案内路付き短管を、既製の樹脂管内に、その螺旋案内路が一つの連続する螺旋案内路を形成するように順次連結し、該短管本体同士の接合面を傾斜面として、接着剤を介して突き合わせるように接合して配設し、それらの内面螺旋案内路付き短管と前記樹脂管との隙間を充填する樹脂層を設けて一体的に固定することを特徴とする内面螺旋案内路付き管の製造方法。
【請求項３】
請求項１記載の樹脂層が、硬化性樹脂、又はこれに充填剤を添加したもの、又は熱可塑性樹脂、又は粒子強化プラスチック、又はこれらの発泡体のいずれかからなることを特徴とする内面螺旋案内路付き管の製造方法。
【請求項４】
請求項２記載の内面螺旋案内路付き短管がポリオレフィンを主材料とする樹脂からなり、上記樹脂層が、ノルボルネン系モノマーとメタセシス触媒を主材とする反応射出成形用材料を成形した樹脂層からなることを特徴とする内面螺旋案内路付き管の製造方法。
【発明の詳細な説明】
【０００１】
【発明の属する技術分野】
本発明は、自然流下式の垂直下水道管路に使用して好適な内面螺旋案内路付き管の製造方法に関するものである。
【０００２】
【従来の技術】
マンホール内に下水を流入させる際に、マンホール内に流入した下水を減衰させるため、例えば、実開平４─５３８４２号公報に記載されているように、マンホール内に垂直下水管路（ドロップシャフト）を配置する方法が実施されている。垂直下水管路には、垂直に配置された直管状の管本体部の内部に、下水を螺旋状態で流下するように案内する螺旋案内路が設けられた螺旋案内路付き管が使用されている。又、螺旋案内路の軸芯部には、螺旋案内路にて案内される下水中に含まれた空気を上方に排除するために空気芯筒が設けられている。
【０００３】
このような内面螺旋案内路付き管では、その上端部に流入する下水が、螺旋案内路に沿って流下する間に減衰される。従って、マンホールの底部等が、流下する下水によって強い衝撃を受けるおそれがなく、マンホール底部の摩耗が抑制される。
【０００４】
縦管本体部内に流入する下水を螺旋状に案内する螺旋案内路は、例えば、特開平８─４１９１５号公報に記載のように、縦管本体部と螺旋案内路とを、それぞれ別個に製造して、縦管本体部内に螺旋案内路を挿入し、螺旋案内路の外終縁部と縦管本体部の内周面とを接合することによって製造される。縦管本体部内に配置される螺旋案内路のピッチ数は、下水の流下長さに比例して多くなるが、螺旋案内路のピッチ数が多くなるほど製造が困難になる。
【０００５】
螺旋案内路を連続的に成形して製造する場合には、螺旋案内路を連続して製造する場合には、螺旋案内路のピッチ数が多くなっても、比較的容易に製造することができるが、所定長さづつバッチ成形する場合には、大きな成形型が必要になるために、大きな設備が必要になり、経済性が損なわれるという問題である。
【０００６】
本発明は、このような従来の問題点を解消し、巨額な設備投資を必要とせず、ピッチ数の多い螺旋案内路を有する内面螺旋案内路付き管を簡単に製造することができ、外表面に凹凸がなく外観に優れた内面螺旋案内路付き管を得ることができる内面螺旋案内路付き管の製造方法を提供することを目的としてなされたものである。
【０００７】
【課題を解決するための手段】
本願の請求項１に記載の発明（本発明１）は、内面に螺旋案内路が設けられた複数の内面螺旋案内路付き短管を、その螺旋案内路が一つの連続する螺旋案内路を形成するように順次連結し、該短管本体同士の接合面を傾斜面として、接着剤を介して突き合わせるように接合し、それらの内面螺旋案内路付き短管を外装する樹脂層を設けて一体的に固定することを特徴とする内面螺旋案内路付き管の製造方法である。
【０００８】
本願の請求項２に記載の発明（本発明２）は、内面に螺旋案内路が設けられた複数の内面螺旋案内路付き短管を、既製の樹脂管内に、その螺旋案内路が一つの連続する螺旋案内路を形成するように順次連結し、該短管本体同士の接合面を傾斜面として、接着剤を介して突き合わせるように接合して配設し、それらの内面螺旋案内路付き短管と前記樹脂管との隙間を充填する樹脂層を設けて一体的に固定することを特徴とする内面螺旋案内路付き管の製造方法である。
【０００９】
本願の請求項３に記載の発明（本発明３）は、本発明１の樹脂層が、硬化性樹脂、又はこれに充填剤を添加したもの、又は熱可塑性樹脂、又は粒子強化プラスチック、又はこれらの発泡体のいずれかからなることを特徴とする内面螺旋案内路付き管の製造方法である。
【００１０】
本願の請求項４に記載の発明（本発明４）は、本発明２の内面螺旋案内路付き短管がポリオレフィンを主材料とする樹脂からなり、上記樹脂層が、ノルボルネン系モノマーとメタセシス触媒を主材とする反応射出成形用材料を成形した樹脂層からなることを特徴とする内面螺旋案内路付き管の製造方法である。
【００１１】
本発明１又は２において、内面螺旋案内路付き短管を形成する材質としては、硬質ポリ塩化ビニルをはじめ、メタクリル樹脂、ポリエチレン、ポリプロピレン等の熱可塑性樹脂、不飽和ポリエステル樹脂、ビニルエステル樹脂、エポキシ樹脂、ポリウレタン、ジシクロペンタジエン等の熱硬化性樹脂が挙げられ、ガラス繊維等の無機繊維、炭素繊維、アラミド繊維、ビニロン繊維等の有機繊維にて強化した繊維強化樹脂及び粒子強化プラスチック（レジンコンクリート）等が挙げられる。
【００１２】
本発明３は、本発明１に使用される樹脂を限定したものであり、使用される樹脂層を形成する樹脂としては、ポリウレタンが、内面螺旋案内路付き短管を形成する材料との接着性・密着性がよいこと、比較的硬化する速度が速いことから好適に使用されるが、その他にも、エポキシ樹脂や不飽和ポリエステル等のような熱硬化性樹脂又はそれらに適切なガラスフレーク等の充填剤を添加したもの等が使用可能でき、又、ポリ塩化ビニルやポリオレフィン等の熱可塑性樹脂及び粒子強化プラスチック（レジンコンクリート）も使用できる。  樹脂層を形成する樹脂として、ポリウレタンを使用する場合には、形成される樹脂層の発泡倍率が０．２〜１０倍程度となるものが好適に使用される。
【００１３】
本発明４は、本発明２に使用される樹脂を限定したものであり、使用される樹脂層を形成する樹脂としては、内面螺旋案内路付き短管を形成する材料がポリオレフィンを主材料とする樹脂からなる場合には、該樹脂との接着性・密着性がよいことから、ジシクロペンタジエン等のノルボルネン系モノマーとメタセシス触媒を主材とする反応射出成形用材料からなる樹脂（以下「ジシクロペンタジエン系樹脂」という）が好適に使用される。内面螺旋案内路付き短管を形成する材料としてのポリオレフィンを主材料とする樹脂としては、例えば、ポリエチレン、ポリプロピレンや、これらを主材料とする樹脂等が挙げられる。
【００１４】
【作用】
本発明１の内面螺旋案内路付き管の製造方法は、螺旋案内路が設けられた複数の内面螺旋案内路付き短管を、その螺旋案内路が一つの連続する螺旋案内路を形成するように順次連結し、該短管本体同士の接合面を傾斜面として、接着剤を介して突き合わせるように接合し、それらの内面螺旋案内路付き短管を外装する樹脂層を設けて一体的に固定することにより、複数の内面螺旋案内路付き短管を別途簡単な設備にて大量に生産しておき、それらを必要な長さ分だけ用いて、一つの連続する螺旋案内路を形成するように順次連結し、簡単な樹脂固定方式にて固定することができるので、従来のような巨額な設備投資を必要とせず、ピッチ数の多い螺旋案内路を有する内面螺旋案内路付き管を簡単に製造することができ、得られる内面螺旋案内路付き管は、内面螺旋案内路付き管の外層に樹脂層が存在するので強度に優れており、又、表面に凹凸が生じないので外観がよい上に人孔内の壁体に市販のＵボルトやＵバンド等の支持具による取付けが容易となる。
【００１５】
本発明２の内面螺旋案内路付き管の製造方法は、内面に螺旋案内路が設けられた複数の内面螺旋案内路付き短管を、既製の樹脂管内に、その螺旋案内路が一つの連続する螺旋案内路を形成するように順次連結し、該短管本体同士の接合面を傾斜面として、接着剤を介して突き合わせるように接合して配設し、それらの螺旋案内路付き短管と前記樹脂管との隙間を充填する樹脂層を設けて一体的に固定することにより、複数の内面螺旋案内路付き短管を別途簡単な設備にて大量に生産しておき、それらを必要な長さ分だけ用いて、一つの連続する螺旋案内路を形成するように順次連結し、簡単な樹脂固定方式にて固定することができるので、従来のような巨額な設備投資を必要とせず、ピッチ数の多い螺旋案内路を有する内面螺旋案内路付き管を簡単に製造することができ、得られる内面螺旋案内路付き管は、内面螺旋案内路付き短管の外層に樹脂層を介して樹脂管が存在するので強度に優れており、又、表面に凹凸が生じないので外観がよい上に人孔内の壁体に市販のＵボルトやＵバンド等の支持具による取付けが容易となる。
【００１６】
本発明３の内面螺旋案内路付き管の製造方法は、本発明１の樹脂層が、硬化性樹脂、又はこれに充填剤を添加したもの、又は熱可塑性樹脂、又は粒子強化プラスチック、又はこれらの発泡体のいずれかからなることにより、結露が防止でき、管壁の下水音の吸音性能に優れた内面螺旋案内路付き管を得ることができる。
【００１７】
本発明４の内面螺旋案内路付き管の製造方法は、本発明２の内面螺旋案内路付き短管がポリオレフィンを主材料とする樹脂からなり、上記樹脂層が、ノルボルネン系モノマーとメタセシス触媒を主材とする反応射出成形用材料を成形した樹脂層からなることにより、柔軟な材料であるポリオレフィンを主材料とする樹脂からなる内面螺旋案内路付き短管を用いても、それらの連結部をノルボルネン系モノマーとメタセシス触媒を主材とする反応射出成形用材料を成形した樹脂層にて水密性に優れた状態にて固定することができるので、酸やアルカリに対する耐久性及び耐衝撃性に優れ、且つ、下水が漏れるおそれのない内面螺旋案内路付き管を得ることができる。
【００１８】
【発明の実施の形態】
以下、本発明の実施の形態を、図面を参照して説明する。
図１は、本発明１又は２に使用される内面螺旋案内路付き短管の一例を示す一部断面図である。図１に示すように、内面螺旋案内路付き短管１１は、短管本体１１１の一端部に環状パッキング１１５が装着された受口１１２が形成され、他端部に挿口１１３が形成され、短管本体１１１の内側には螺旋案内路１１４が１ピッチ分設けられ、螺旋案内路１１４の内側には芯筒１１５が設けられている。挿口１１３の端面１１３ａは、端縁に向かうにつれて次第に縮径する傾斜面に形成されている。受口１１２の奥部には、挿口１１３の端面１１３ａに形成された傾斜面に対応する傾斜面１１２ａが形成されている。
【００１９】
図２は、本発明１又は２に使用される内面螺旋案内路付き短管の別の例を示す一部断面図である。図２に示すように、内面螺旋案内路付き短管１２は、短管本体１２１の両端部に接合面１２２，１２３が形成され、短管本体１２１の内側には螺旋案内路１２４が１ピッチ分設けられ、螺旋案内路１２４の内側には芯筒１２５が設けられている。一方の接合面１２２は、端縁に向かうにつれて次第に拡径する傾斜面に形成され、他方の接合面１２３は、端縁に向かうにつれて次第に縮径する傾斜面に形成されている。短管本体１２１は、図１に示す内面螺旋案内路付き短管１１の短管本体１１１と同じ外径と肉厚を有している。
【００２０】
次に、図１に示す内面螺旋案内路付き短管１１と、図２に示す内面螺旋案内路付き短管１２とを用いた本発明１の内面螺旋案内路付き管の製造方法の一例を、図３を参照して説明する。まず、図３（ａ）に示すように、内面螺旋案内路付き短管１１と内面螺旋案内路付き短管１２，１２′とを、各螺旋案内路１１４，１２４，１２４′が連続するように連結して接着剤にて接合する。この際に、内面螺旋案内路付き短管１１の挿口１１３の端面（傾斜面）１１３ａに、接着剤を介して一方の内面螺旋案内路付き短管１２の一方の接合面（傾斜面）１２２を突き合わせ、その他方の接合面（傾斜面）１２３に、接着剤を介して他方の内面螺旋案内路付き短管１２′の一方の接合面（傾斜面）１２２′を突き合わせるように接合する。突き合わせる端面及び各接合面は傾斜面とされていると、位置合わせが容易となる上に接着面積が大きくなるので好ましい。
【００２１】
次に、図３（ｂ）に示すように、内面螺旋案内路付き短管１１の受口１１２の端面及び他方の内面螺旋案内路付き短管１２′の芯筒１２５′の端面に、それぞれ、仮固定用フランジ１３，１３を当接して、両者間を仮固定具１４にて締結して仮固定する。
【００２２】
次に、図３（ｃ）に示すように、仮固定した内面螺旋案内路付き短管１１と内面螺旋案内路付き短管１２，１２′の外側に、筒状の外枠１５を間隙１６を設けるようにして被せる。この際に、外枠１５の一端側を内面螺旋案内路付き短管１１の受口１１２の外側に当接させるとともに、他端側を他方の内面螺旋案内路付き短管１２′の短管本体１２１′にまたがるように蓋体１７を被せる。
【００２３】
しかる後に、間隙１６内に、外枠１５に設けた注入口１５１より、発泡性樹脂液を注入し、所定時間保持して、内面螺旋案内路付き短管１１と内面螺旋案内路付き短管１２，１２′とを一体的に外装する樹脂発泡体からなる樹脂層を設ける。最後に、蓋体１７、外枠１５、仮固定用ボルト１４及び仮固定用フランジ１３，１３を取り除いて、図４に示すような内面螺旋案内路付き管１０を得る。
【００２４】
図４に示すように、この内面螺旋案内路付き管１０は、内面螺旋案内路付き短管１１と内面螺旋案内路付き短管１２，１２′とが、その螺旋案内路１１４，１２４，１２４′が一つの連続する螺旋案内路を成形するように順次連結され、それらの内面螺旋案内路付き短管─１１，１２，１２′を外装する発泡樹脂層１８が設けられて一体的に固定され、一端部に受口１０Ａを有し、他端部に挿口１０Ｂを有している。
【００２５】
挿口１０Ｂの先端部は、図５（ａ）に示すように、他方の内面螺旋案内路付き短管１２′の他方の端部の接合面１２３′に被さり、端面に傾斜面１８１を有するように樹脂層１８が設けられている。尚、図５（ｄ）示すように樹脂層１８の端面は垂直面とされていてもよい。図５（ｂ）に示すように、他方の内面螺旋案内路付き短管１２′の他方の端部の側方にのみ、接合面１２３′に被さらないように樹脂層１８が設けられていてもよい。図５（ｃ）に示すように、他方の内面螺旋案内路付き短管１２′の他方の端部の外面に設けられた凹部に樹脂層１８が装着されていてもよい。
【００２６】
一方の内面螺旋案内路付き短管１２と他方の内面螺旋案内路付き短管１２′との接合面は、傾斜面とされる（図１、図２参照）ことなく、凹凸嵌合する（図６参照）ようになされていてもよいし、垂直面とされ、その外側にバンド１９にて固定する（図７参照）方式を採用してもよい。
【００２７】
又、図８に示すように、一方の内面螺旋案内路付き短管１２と他方の内面螺旋案内路付き短管１２′との接合面のまたがるような凹部が形成され、その凹部に発泡樹脂層１８を設ける如くして、各接合面を同様の構造に連結してもよい。
【００２８】
次に、図１に示す内面螺旋案内路付き短管１１と、図２に示す内面螺旋案内路付き短管１２とを用いた本発明２の内面螺旋案内路付き管の製造方法の別の例を、図９を参照して説明する。
まず、内面螺旋案内路付き短管１１と内面螺旋案内路付き短管１２，１２′とを、図３（ａ）を参照して説明したのと同様に、各螺旋案内路１１４，１２４，１２４′が連続するように連結して接着剤にて接合し、図９に示す如く、これを既製の樹脂管２１内に配設し、それらの内面螺旋案内路付き短管１１，１２，１２′と樹脂管２１との隙間に発泡性樹脂液を充填して発泡樹脂層１１を設け、それらの間を一体的に固定して、内面螺旋案内路付き管２０を得る。
【００２９】
図９に示すように、  この内面螺旋案内路付き管２０は、内面螺旋案内路付き短管１１と内面螺旋案内路付き短管１２，１２′とが、その螺旋案内路１１４，１２４，１２４′が一つの連続する螺旋案内路を成形するように順次連結された状態にて樹脂管２１内に配設され、それらの内面螺旋案内路付き短管─１１，１２，１２′と樹脂管２１との隙間を充填する発泡樹脂層２２が設けられて一体的に固定され、一端部に受口２０Ａを有し、他端部に挿口２０Ｂを有している。
【００３０】
次に、図２に示す内面螺旋案内路付き短管のみを用いた、本発明１の内面螺旋案内路付き管の製造方法の更に別の例を、図１０を参照して説明する。  まず、内面螺旋案内路付き短管１２，１２′，１２′′とを、各螺旋案内路１２４，１２４′，１２４′′が連続するように連結して接着剤にて接合し、図３（ｂ），（ｃ）を参照して説明した方法に準じて、内面螺旋案内路付き短管１２，１２′，１２′′とを一体的に外装する樹脂発泡体からなる樹脂層３１を設ける。しかる後、一方の内面螺旋案内路付き短管の一方の端部に、受口カラー管３２をパッキング３３を介して嵌め込んで、内周面にシールパッキング３４が装着された受口３０Ａを形成する。
【００３１】
図１０に示すように、この内面螺旋案内路付き管３０は、内面螺旋案内路付き短管１２，１２′，１２′′とが、その螺旋案内路１２４，１２４′，１２４′′が一つの連続する螺旋案内路を成形するように順次連結され、それらの内面螺旋案内路付き短管─１２，１２′，１２′′を外装する発泡樹脂層３１が設けられて一体的に固定され、一端部に受口３０Ａを有し、他端部に挿口３０Ｂを有している。
【００３２】
【実施例】
以下、本発明を実施例により説明する。
実施例１
射出成形にて、硬質ポリ塩化ビニルを用いて、図１に示す構造の、長さ１６０ｍｍ、肉厚３．０ｍｍの短管本体１１１の一端部に受口１１２、他端部に挿口１１３を有し、短管本体１１１の内側に外径２５０ｍｍ、内径９０ｍｍ、肉厚６．０ｍｍの螺旋案内路１１４を１ピッチ分有し、螺旋案内路１１４の内側に外径９０ｍｍ、肉厚３．０ｍｍの芯筒１１５を有する内面螺旋案内路付き短管１１を得た。
【００３３】
射出成形にて、硬質ポリ塩化ビニルを用いて、図２に示す構造の、長さ１６０ｍｍ、肉厚３．０ｍｍの短管本体１２１の内側に外径２５０ｍｍ、内径９０ｍｍ、肉厚６．０ｍｍの螺旋案内路１２４を１ピッチ分有し、螺旋案内路１１４の内側に外径９０ｍｍ、肉厚３．０ｍｍの芯筒１２５を有する内面螺旋案内路付き短管１２を得た。
【００３４】
この内面螺旋案内路付き短管１１，１２を用いて、図３を参照して説明した工程により、外枠１５に設けた注入口１５１より、ポリウレタン樹脂液を注入して、図４に示すように、内面螺旋案内路付き短管１１と内面螺旋案内路付き短管１２，１２′とが、その螺旋案内路１１４，１２４，１２４′が一つの連続する螺旋案内路を成形するように順次連結され、それらの内面螺旋案内路付き短管─１１，１２，１２′を外装する厚さ５ｍｍのポリウレタンからなる発泡樹脂層１８が設けられて一体的に固定され、一端部に受口１０Ａを有し、他端部に挿口１０Ｂを有する内面螺旋案内路付き管１０を得た。得られた内面螺旋案内路付き管１０は、外表面に凹凸のない、外観が良好なものであった。
【００３５】
実施例２
内面螺旋案内路付き短管１１，１２として、ポリプロピレンからなるものを用いて、図３を参照して説明した工程により、それらをシール剤（積水化学工業社製「エスロンマスタイト」）を介して連結し、外枠１５に設けた注入口１５１より注入する材料として、ジシクロペンタジエンとメタセシス触媒を主材とする反応射出成形用材料を注入して、図４に示すように、内面螺旋案内路付き短管１１と内面螺旋案内路付き短管１２，１２′とが、その螺旋案内路１１４，１２４，１２４′が一つの連続する螺旋案内路を成形するように順次連結され、それらの内面螺旋案内路付き短管─１１，１２，１２′を外装する厚さ５ｍｍのジシクロペンタジエン系樹脂からなる樹脂層１８が設けられて一体的に固定され、一端部に受口１０Ａを有し、他端部に挿口１０Ｂを有する内面螺旋案内路付き管１０を得た。
【００３６】
実施例３
上記の内面螺旋案内路付き短管１１，１２を用いて、図９に示すように、内面螺旋案内路付き短管１１と内面螺旋案内路付き短管１２，１２′とが、その螺旋案内路１１４，１２４，１２４′が一つの連続する螺旋案内路を成形するように順次連結された状態にて、硬質塩化ビニル樹脂管２１内に配設され、それらの内面螺旋案内路付き短管─１１，１２，１２′と樹脂管２１との隙間を充填する発泡樹脂層２２が設けられて一体的に固定され、一端部に受口２０Ａを有し、他端部に挿口２０Ｂを有する内面螺旋案内路付き管２０を得た。得られた内面螺旋案内路付き管２０は、外表面に凹凸のない、外観が良好なものであった。
【００３７】
実施例４
上記の内面螺旋案内路付き短管１２を用いて、図１０に示すように、内面螺旋案内路付き短管１２，１２′，１２′′とが、その螺旋案内路１２４，１２４′，１２４′′が一つの連続する螺旋案内路を成形するように順次連結され、それらの内面螺旋案内路付き短管─１２，１２′，１２′′を外装する発泡樹脂層３１が設けられて一体的に固定され、一端部に受口３０Ａを有し、他端部に挿口３０Ｂを有する内面螺旋案内路付き管３０を得た。得られた内面螺旋案内路付き管３０は、外表面に凹凸のない、外観が良好なものであった。
【００３８】
【発明の効果】
本発明の内面螺旋案内路付き管の製造方法は、上記のとおりにされているので、従来のような巨額な設備投資を必要とせず、ピッチ数の多い螺旋案内路を有する内面螺旋案内路付き管を簡単に製造することができ、得られる内面螺旋案内路付き管は、内面螺旋案内路付き短管の外層に樹脂層が存在するので強度に優れ、表面に凹凸が生じないので外観がよい上に人孔内の壁体に市販のＵボルトやＵバンド等の支持具による取付けが容易となる。
【００３９】
樹脂層が樹脂発泡体層からなると、得られる内面螺旋案内路付き管は、結露が防止でき、管壁の下水音の吸音性能に優れている。
【００４０】
内面螺旋案内路付き短管がポリオレフィンを主材料とする樹脂からなり、前記樹脂層が、ノルボルネン系モノマーとメタセシス触媒を主材とする反応射出成形用材料を成形した樹脂層からなると、得られる内面螺旋案内路付き管は、酸やアルカリに対する耐久性及び耐衝撃性に優れ、且つ、下水が漏れるおそれがない。
【図面の簡単な説明】
【図１】本発明１又は２に使用される内面螺旋案内路付き短管の一例を示す一部断面図である。
【図２】本発明１又は２に使用される内面螺旋案内路付き短管の別の例を示す一部断面図である。
【図３】図１に示す内面螺旋案内路付き短管と図２に示す内面螺旋案内路付き短管を用いた、本発明１の内面螺旋案内路付き管の製造方法の一例を説明する説明図であり、（ａ）は最初の工程を説明する断面図、（ｂ）は第２の工程を説明する一部断面図、（ｃ）は第３の工程を説明する一部断面図である。
【図４】本発明１により得られた内面螺旋案内路付き管の一例を示す断面図である。
【図５】本発明１により得られた内面螺旋案内路付き管の挿口の構造を説明する説明図であり、（ａ）はその一例を示す断面図、（ｂ）はその別の例を示す断面図、（ｃ）はその更に別の例を示す断面図、（ｄ）はその更に別の例を示す断面図である。
【図６】内面螺旋案内路付き短管の接合状態の一例を説明する断面図である。
【図７】内面螺旋案内路付き短管の接合状態の別の例を説明する断面図である。
【図８】内面螺旋案内路付き短管の接合状態の更に別の例を説明する断面図である。
【図９】図１に示す内面螺旋案内路付き短管と図２に示す内面螺旋案内路付き短管を用いた、本発明２の内面螺旋案内路付き管の製造方法の別の例を説明する断面図である。
【図１０】図２に示す内面螺旋案内路付き短管を用いた、本発明１の内面螺旋案内路付き管の製造方法の更に別の例を説明する断面図である。
【符号の説明】
１１，１２，１２′  内面螺旋案内路付き短管
１８，２２，３１  樹脂層
２０，３０，４０  内面螺旋案内路付き管
２１  樹脂管
３２  カラー管
１１１，１２１，１２１′  短管本体
１１４，１２４，１２４′  螺旋案内路
１１５，１２５，１２５′  芯筒
１１２，２０Ａ，３０Ａ  受口
１１３，２０Ｂ，３０Ｂ  挿口
【図１】
0003577220.tif 000002
【図２】
0003577220.tif 000003
【図３】
0003577220.tif 000004
【図４】
0003577220.tif 000005
【図５】
0003577220.tif 000006
【図６】
0003577220.tif 000007
【図７】
0003577220.tif 000008
【図８】
0003577220.tif 000009
【図９】
0003577220.tif 000010
【図１０】
0003577220.tif 000011